(57)【要約】【課題】  異常動作の悪化や正常部位にまで異常状態が拡大されることが防止された撮影装置を提供する。【解決手段】  デジタルカメラ１００の回路部分に動作エラーが発生した場合、その動作エラーをエラー検出部１５０で検出してＥＥＰＲＯＭ１６０にエラー情報を記憶し、ユーザによる操作を待たずに、外部機器にエラー情報を赤外通信部１７０で送信し、送信終了後に電源制御部１８０で電源部１９０の振分部１９２を経由して、異常が発生した回路部分への電源をオフ状態に保つ。【選択図】  図２
2007028356.tif 000002
【特許請求の範囲】
【請求項１】
被写体光を捉えて画像データを生成する撮影装置において、
この撮影装置の動作エラーを検出するエラー検出部と、
前記エラー検出部でのエラー検出を受けてエラー情報を記憶するエラー記憶部と、
前記エラー検出部でのエラー検出を受けて、操作を待たずに、所定の通信相手との通信可否判定と該通信相手との通信が可能なときに該通信相手へのエラー情報の無線送信を行なうエラー送信部と、
前記エラー送信部での、前記通信相手との通信不能あるいはエラー情報の送信終了を受けて、この撮影装置の電源をオフにする電源制御部とを備えたことを特徴とする撮影装置。
【請求項２】
前記電源制御部は、この撮影装置の回路を複数の回路部分に分けたときの各回路部分ごとに電源をオンにするものであり、該電源制御部は、電源オン操作を受けても、前記エラー記憶部に記憶されているエラー情報により特定される、エラーが生じた回路部分への電源をオフ状態に保つものであることを特徴とする請求項１記載の撮影装置。
【請求項３】
前記電源制御部は、この撮影装置の回路を複数の回路部分に分けたときの各回路部分ごとに電源をオンにするものであり、該電源制御部は、電源オン操作を受けて、前記エラー記憶部にエラー情報が記憶されている場合には、エラー記憶部からのエラー情報の読出しおよび前記エラー送信部によるエラー送信に必要な回路部分のみ電源をオンにするものであることを特徴とする請求項１記載の撮影装置。
【請求項４】
前記エラー送信部は、電源オン操作を受けて、未送信のエラー情報が存在する場合に、所定の通信相手との通信可否判定と該通信相手との通信が可能なときに該通信相手へのエラー情報の無線送信を行なうものであることを特徴とする請求項２又は３記載の撮影装置。
【発明の詳細な説明】
【技術分野】
【０００１】
本発明は、被写体光を捉えて画像データを生成する撮影装置に関する。
【背景技術】
【０００２】
一般に、撮影装置の１つであるカメラでは、電源オン操作を受けた時点で撮影レンズを繰り出し、次いでフォーカスレンズを光軸方向について前後させて合焦点を検出する等の一連の動作が行なわれ、その後レリーズ釦が操作されて写真撮影が行なわれる。このようなカメラにおいて、例えば落下等に起因して撮影レンズの繰出しや沈胴が正常に行なわれない場合等、カメラの構成部位に異常動作が発生した場合、その異常動作を検出し、検出された異常動作に対応するエラーコードをエラー記憶部から読み出して履歴記憶部に記憶し、特定操作により表示部に時系列的に表示する技術が提案されている（特許文献１参照）。
【０００３】
また、異常動作が検出された場合、カメラの動作を停止し、その異常動作に対応するエラーコードをエラー記憶部から読み出して履歴記憶部に記憶し、必要に応じて外部に読み出すセルフチェック機能を有する技術も提案されている（特許文献２参照）。
【特許文献１】特開平１１−２１８８２８号公報
【特許文献２】特開平１１−１４９１１３号公報
【発明の開示】
【発明が解決しようとする課題】
【０００４】
上述した特許文献１，２に提案された技術では、異常動作発生後エラー履歴を表示したり、カメラの動作を停止することは可能であるが、エラー履歴の確認等のためにカメラに再度電源を投入した場合、カメラが再度動作し、場合によっては、異常動作が悪化し、最悪の場合には正常部位にまで異常状態が拡大する恐れがあるという問題を抱えている。
【０００５】
本発明は、上記事情に鑑み、異常動作の悪化や正常部位にまで異常状態が拡大されることが防止された撮影装置を提供することを目的とする。
【課題を解決するための手段】
【０００６】
上記目的を達成する本発明の撮影装置は、被写体光を捉えて画像データを生成する撮影装置において、
この撮影装置の動作エラーを検出するエラー検出部と、
上記エラー検出部でのエラー検出を受けてエラー情報を記憶するエラー記憶部と、
上記エラー検出部でのエラー検出を受けて、操作を待たずに、所定の通信相手との通信可否判定とその通信相手との通信が可能なときにその通信相手へのエラー情報の無線送信を行なうエラー送信部と、
上記エラー送信部での、上記通信相手との通信不能あるいはエラー情報の送信終了を受けて、この撮影装置の電源をオフにする電源制御部とを備えたことを特徴とする。
【０００７】
本発明の撮影装置は、エラー検出を受けて、操作を待たずに、通信相手との通信が可能なときにその通信相手にそのエラー情報の無線送信を行ない、そのエラー情報の送信終了を受けて電源をオフするものである。このため、エラー情報の確認のために撮影装置に再度電源を投入する必要はなく、従って異常動作の悪化や正常部位にまで異常状態が拡大されることが防止される。また、異常動作が発生した場合であって通信相手との通信不能な場合であっても、操作を待たずに電源がオフされるため、異常動作の悪化や正常部位にまで異常状態が拡大されることが防止される。
【０００８】
ここで、上記電源制御部は、この撮影装置の回路を複数の回路部分に分けたときの各回路部分ごとに電源をオンにするものであり、その電源制御部は、電源オン操作を受けても、上記エラー記憶部に記憶されているエラー情報により特定される、エラーが生じた回路部分への電源をオフ状態に保つものであることが好ましい。
【０００９】
このようにすると、電源オン操作を受けた場合であっても、エラーが生じた回路部分には電源が供給されることはなく、従って異常動作の悪化や正常部位にまで異常状態が拡大されることを防止したまま、正常な回路部分に電源を供給して動作させることもできる。
【００１０】
また、上記電源制御部は、この撮影装置の回路を複数の回路部分に分けたときの各回路部分ごとに電源をオンにするものであり、その電源制御部は、電源オン操作を受けて、上記エラー記憶部にエラー情報が記憶されている場合には、エラー記憶部からのエラー情報の読出しおよび上記エラー送信部によるエラー送信に必要な回路部分のみ電源をオンにするものであることも好ましい態様である。
【００１１】
このようにすると、電源オン操作を受けた場合であっても、異常動作の悪化や正常部位にまで異常状態が拡大されることなく、通信相手にエラー情報を無線送信することができる。
【００１２】
さらに、上記エラー送信部は、電源オン操作を受けて、未送信のエラー情報が存在する場合に、所定の通信相手との通信可否判定とその通信相手との通信が可能なときにその通信相手へのエラー情報の無線送信を行なうものであることも好ましい。
【００１３】
このようにすると、通信相手にエラー情報を確実に無線送信することができる。
【発明の効果】
【００１４】
本発明によれば、異常動作の悪化や正常部位にまで異常状態が拡大されることが防止された撮影装置を提供することができる。
【発明を実施するための最良の形態】
【００１５】
以下、本発明の実施形態について説明する。
【００１６】
図１は、本発明の撮影装置の第１実施形態であるデジタルカメラの外観図である。図１（ａ）は正面図、（ｂ）は上面図、（ｃ）は側面図、（ｄ）は背面図である。
【００１７】
図１（ａ）〜図１（ｄ）に示すデジタルカメラ１００は、被写体光を捉えて画像データを生成する撮影装置であって、詳細は後述するが、このデジタルカメラ１００の構成部位に異常動作が発生した場合、その異常動作エラーを検出し、ユーザの操作を待たずに、周囲に存在する通信相手である外部機器に向けてＩｒＤＡ（Ｉｎｆｒａｒｅｄ  Ｄａｔａ  Ａｓｓｏｃｉａｔｉｏｎ）に準拠した赤外線通信でエラー情報を送信して電源をオフする撮像装置である。尚、外部機器としては、プリンタ、デジタルカメラ、携帯電話、ＰＤＡ、パーソナルコンピュータ等がある。
【００１８】
このデジタルカメラ１００で自在に撮影を行なわせるため、図１（ｄ）に示すようにデジタルカメラ１００の背面にはこのデジタルカメラ１００を作動させるための電源投入用のパワースイッチ１０２、撮影モードと再生モードとを切替自在にする撮影モード・再生モード切替レバー１０３、モードダイヤル１０７、ポップアップスイッチ１０９ａなどが設けられている。それらスイッチ類の中のモードダイヤル１０７の中には、自動撮影モード（ＡＵＴＯ）用のスイッチ１０７１（図２参照）、静止画撮影モード用のスイッチ１０７２、手動撮影モード（Ｍ）用のスイッチ１０７３、シーンポジションモード（ＳＰ）用のスイッチ１０７４、および動画撮影モード用のスイッチ１０７５があり、撮影・再生モード切替レバー１０３により撮影側スイッチ１０３ａが選択され、さらにモードダイヤル１０７によっていずれかのモードが設定され、このデジタルカメラ１００の上方にあるレリーズ釦１０８が操作されると撮影の開始指示がカメラ内部へと伝えられ、それらのモードに応じた撮影処理がデジタルカメラ１００内部で行なわれる。モードダイヤル１０７によって自動撮影モード（ＡＵＴＯ）が選択されると、自動的に調整された撮影条件下で撮影が行なわれ、手動撮影モード（Ｍ）が選択されると、撮影条件のうちの少なくとも１つを手動設定し手動設定された撮影条件下で撮影が行なわれる。また、静止画撮影モードが選択されると、静止画像撮影に適した撮影条件下で、また動画撮影モードが選択されると、動画像撮影に適した撮影条件下で、さらにシーンポジションモード（ＳＰ）が選択されると、撮影シーンに応じた撮影条件下で撮影が行なわれる。
【００１９】
また、夜間撮影を行なうときにはポップアップスイッチ１０９ａを操作すれば閃光発光部１０９がポップアップされ、撮影に同期して被写体に向けて閃光が発光される。尚、この閃光発光部１０９がポップアップされなければフラッシュオフになる。
【００２０】
また、撮影・再生切替レバー１０３が撮影側に切り替えられたときにスルー画像を表示するとともに、各スイッチの操作状況などを撮影者に示すための画像表示装置（ＬＣＤ）１０６が設けられている。この画像表示装置１０６をファインダとして使用しフレーミングを行なうことも、図１（ａ）に示すように直視型のファインダ１００１を使用してフレーミングを行なうこともできる。
【００２１】
その画像表示装置１０６の右斜め上方には操作キーとして十字キー１０４が設けられており、画像表示装置１０６上にメニュー画面などが表示された場合には、その十字キー１０４のＵＰキー１０４ａ、ＤＯＷＮキー１０４ｂ、右キー１０４ｃ、左キー１０４ｄの４つのキーを操作することによってメニューの選択を行なうことができる。また、その十字キー１０４の左横には、そのメニューを画像表示装置１０６上に表示させるためのメニュー釦１０５ａと、そのメニュー釦１０５ａの操作によりメニューが表示され、十字キー１０４のいずれかのキーにより画像表示装置１０６に表示されたメニュー画面の中の多数の選択項目のうちいずれかの項目が選択されたときに、その選択をキャンセルするために操作されるバック釦１０５ｂが備えられている。このメニュー釦１０５ａとバック釦１０５ｂとは、画像が表示されたときにはＴＥＬＥ／ＷＩＤＥ用のズームスイッチとして働く。
【００２２】
また、撮影・再生切替レバー１０３が再生モード側スイッチ１０３ｂに切り替えられると、記録メディア１４１に記録されている画像データのいずれかが読み出されてその画像データに基づく画像が画像表示装置１０６に表示される。
【００２３】
さらに、図１（ｃ）に示すように、デジタルカメラ１００の側面には、このデジタルカメラ１００により撮影された被写体の画像データをテレビやプロジェクタ等に出力するためのケーブルが接続される映像出力端子１１１と、このデジタルカメラ１００により撮影された被写体の画像データをＵＳＢ接続部が備えられたパーソナルコンピュータ等に送信するためのＵＳＢケーブルが接続されるＵＳＢ接続部１１２と、ＡＣアダプタからの直流電圧が入力される直流電圧入力端子１１３とが備えられている。
【００２４】
また、図１（ａ）に示すように、デジタルカメラ１００の正面上部には、赤外線を用いて通信可能な通信相手である外部機器への、後述するエラーメッセージ情報の送信を行なう赤外線送受信部１７０が備えられている。この赤外線送受信部１７０が、本発明にいうエラー送信部の役割を担うものである。
【００２５】
図２は、図１に示すデジタルカメラの内部構成を示す図である。
【００２６】
このデジタルカメラ１００には、撮影光学系を構成するズームレンズ１０１，アイリス１２１，フォーカスレンズ１２２と、それらズームレンズ１０１，アイリス１２１，フォーカスレンズ１２２を駆動することによりズーミング，フォーカシング，露光量調整を行なうためのモータドライバ１２３，１２４，１２５が備えられている。
【００２７】
また、デジタルカメラ１００には、ＣＣＤ１２６と、タイミングジェネレータ１２７と、ＭＰＵ（Ｍｉｃｒｏ  Ｐｒｏｃｅｓｓｏｒ  Ｕｎｉｔ）１２８と、ＣＤＳＡＭＰ１２９とが備えられている。
【００２８】
ＣＣＤ１２６は、ズームレンズ１０１，アイリス１２１，フォーカスレンズ１２２を経由してきた被写体光を捉える固体撮像素子である。このＣＣＤ１２６には、入射された被写体光を電気信号である画像信号に変換するフォトダイオード等の光電変換素子が多数個備えられている。
【００２９】
タイミングジェネレータ１２７は、ＭＰＵ１２８からの指示により所定のタイミングでＣＣＤ１２６を駆動する。これにより、ＣＣＤ１２６に入射されている被写体光が所定のフレームレートで光電変換され、そのＣＣＤ１２６からアナログ画像信号として出力される。
【００３０】
ＭＰＵ１２８は、このデジタルカメラ１００全体の制御を行なう。具体的には、ＭＰＵ１２８にはＲＯＭ１２８ａが内蔵されており、その内蔵されたＲＯＭ１２８ａのプログラムの手順にしたがってデジタルカメラ１００全体の動作が制御される。
【００３１】
さらに、デジタルカメラ１００には、ＣＣＤ１２６から出力されたアナログ画像信号の雑音を低減する処理等を行なうＣＤＳＡＭＰ１２９と、その処理等が施されたアナログ画像信号をデジタル画像信号にアナログ／デジタル変換するＡ／Ｄ変換部１３０と、Ａ／Ｄ変換部１３０でデジタル画像信号に変換されたＲＧＢからなる画像データをデータバスを介して、メモリであるＳＤＲＡＭ１３８に転送する画像入力コントローラ１３１とが備えられている。
【００３２】
また、デジタルカメラ１００には、ＳＤＲＡＭ１３８の画像データを読み出させ、ＹＣ信号への変換を行なう画像処理プロセスを実行する画像信号処理部１３２と、画像処理プロセスが終了した時点でＪＰＥＧプロセスを実行して画像データの圧縮を行なう圧縮処理部１３３と、ＧＰＳ（Ｇｌｏｂａｌ  Ｐｏｓｉｔｉｏｎｉｎｇ  Ｓｙｓｔｅｍ）衛星からのＧＰＳ信号を受信して得られたＧＰＳ位置（現在位置）データを撮影データに変換するＧＰＳ位置変換部１３４と、これら画像データや撮影データをビデオ信号に変換して画像表示装置１０６に導くためのＶｉｄｅｏ／ＬＣＤエンコーダ１３５とが備えられている。
【００３３】
さらに、デジタルカメラ１００には、画像のピント情報を検出するＡＦ検出部１３６と、画像の輝度情報と白色バランス情報を検出するＡＥ＆ＡＷＢ検出部１３７と、作業領域用のメモリとしても使用されるＳＤＲＡＭ１３８と、Ａ領域,Ｂ領域を有する表示用のバッファとしてのＶＲＡＭ１３９と、画像データを記録メディア１４１に記憶するための制御を行なうメディアコントローラ１４０と、このデジタルカメラ１００と外部のパーソナルコンピュータ等との間で画像データのやり取りを行なうＵＳＢＩ／Ｆ部１４２とが備えられている。
【００３４】
また、デジタルカメラ１００には、このデジタルカメラ１００の動作エラーを検出するエラー検出部１５０が備えられている。このエラー検出部１５０には、ズームレンズ１０１，アイリス１２１，フォーカスレンズ１２２の可動箇所を含む部分に配備された複数のセンサが備えられている。ここで、動作エラーとは、落下等に起因して撮影光学系を構成するズームレンズ１０１の繰出しや沈胴が正常に行なわれない場合や、アイリス１２１，フォーカスレンズ１２２の駆動が正常に行なわれない場合、あるいは閃光発光部１０９を構成する主コンデンサの不具合に起因して過大な電流が流れた場合等に発生するエラーをいう。例えば、ズームレンズ１０１，アイリス１２１，フォーカスレンズ１２２の場合であれば、それらの可動箇所に配備されたセンサからのパルス信号の周期が所定の周期範囲内にない場合、エラー検出部１５０からその旨のエラー信号が出力される。
【００３５】
さらに、デジタルカメラ１００には、エラー検出部１５０でのエラー検出を受けてエラー情報を記録するＥＥＰＲＯＭ１６０（本発明にいうエラー記憶部の一例に相当）が備えられている。
【００３６】
また、デジタルカメラ１００には、前述した赤外線送受信部１７０が備えられている。この赤外線送受信部１７０は、エラー検出部１５０でのエラー検出を受けて、ユーザによる操作を待たずに、所定の通信相手である外部機器との通信可否判定とその外部機器との通信が可能なときにその外部機器へのエラー情報の赤外線通信を行なう。
【００３７】
さらに、デジタルカメラ１００には、電源制御部１８０と振分部１９２を有する電源部１９０が備えられている。振分部１９２には、バッテリ１９１からの電圧及び／又は直流電圧入力端子１１３からの外部直流電圧が入力される。
【００３８】
ＭＰＵ１２８は、赤外線送受信部１７０での、外部機器との通信不能あるいはエラー情報の送信終了を受けて、電源制御部１８０に指令を出し、電源制御部１８０は、このデジタルカメラ１００の電源を、振分部１９２を経由してオフにする。詳細には、この電源制御部１８０は、このデジタルカメラ１００のモータドライバ１２３，１２４，１２５を含む各回路部分（本発明にいう回路を複数の回路部分に分けたときの各回路部分に相当）ごとに、振分部１９２を経由して電源をオンにするものである。また、ＭＰＵ１２８は、電源オン操作を受けても、ＥＥＰＲＯＭ１６０に記憶されているエラー情報により特定される、エラーが生じた各回路部分への電源をオフ状態に保つよう、電源制御部１８０に対して指令を出す。
【００３９】
本実施形態のデジタルカメラ１００は、エラー検出部１５０からのエラー検出を受けて、ユーザによる操作を待たずに、外部機器との赤外線通信が可能なときにその外部機器にそのエラー情報の赤外線送信を行ない、そのエラー情報の送信終了を受けて電源をオフするものである。このため、エラー情報の確認のためにデジタルカメラ１００に再度電源を投入する必要はなく、従って異常動作の悪化や正常部位にまで異常状態が拡大されることが防止される。また、異常動作が発生した場合であって外部機器との赤外線通信不能な場合であっても、ユーザの操作を待たずに電源がオフされるため、異常動作の悪化や正常部位にまで異常状態が拡大されることを防止することができる。
【００４０】
また、電源制御部１８０は、電源オン操作を受けても、ＥＥＰＲＯＭ１６０に記憶されているエラー情報により特定される、エラーが生じた回路部分への電源をオフ状態に保つものである。このため、エラーが生じた回路部分には電源が供給されることはなく、従って異常動作の悪化や正常部位にまで異常状態が拡大されることを防止したまま、正常な回路部分には電源が供給されて動作する。
【００４１】
さらに、本実施形態のデジタルカメラ１００では、赤外線送受信部１７０は、電源オン操作を受けて、未送信のエラー情報が存在する場合に、所定の外部機器との通信可否判定とその外部機器との通信が可能なときにその外部機器へのエラー情報の赤外線送信を行なうものである。このため、外部機器との通信が可能になった時点で、その外部機器にエラー情報を確実に赤外線で送信することができる。
【００４２】
次に、このデジタルカメラ１００の概略動作について説明する。このデジタルカメラ１００の動作は統括的にＭＰＵ１２８により制御される。このＭＰＵ１２８内にはＲＯＭ１２８ａが内蔵されており、その内蔵されたＲＯＭ１２８ａ内にプログラムが格納されている。このプログラムの手順にしたがってデジタルカメラ１００全体の動作がＭＰＵ１２８により制御される。また、ＳＤＲＡＭ１３８にはＲＯＭ１２８ａに記述されているプログラムの手順にしたがってＭＰＵ１２８がこのデジタルカメラ１００全体を制御しているときに、処理中の画像データが一時的に格納されたりする。
【００４３】
また、表示用のバッファとしてのＶＲＡＭ１３９にはスルー画像を表わす画像データがＡ領域、Ｂ領域に順次記憶され、それらの領域にある画像データが交互にＶｉｄｅｏ／ＬＣＤエンコーダ１３５に供給され画像データに基づく画像が順次切り換えられてスルー画像として画像表示装置１０６上に表示される。
【００４４】
先ず、モードダイヤル１０７（図１参照）が自動撮影モード（ＡＵＴＯ）に切り替えられて撮影が行なわれた場合の画像データの流れを、図２を参照して説明する。
【００４５】
モードダイヤル１０７が自動撮影モード（ＡＵＴＯ）に切り替えられると、ＭＰＵ１２８は撮影光学系を経由した被写体光をＣＣＤ１２６で捉え、そのＣＣＤ１２６で生成される画像データを所定の間隔ごとにＣＤＳＡＭＰ１２９側へ出力させ、Ａ／Ｄ変換部１３０，画像入力コントローラ１３１，画像信号処理部１３２で表示可能な画像データに変換してスルー画像を画像表示装置１０６の画面上に表示させる。そのスルー画像に基づいて任意にフレーミングが行なわれ、ＡＦ検出部１３６が絶えずフォーカスレンズ１２２を前後させ合焦点検出を行なってフレーミングの中央に焦点のあった画像をＣＣＤ１２６に結像させる。このときにはＡＥ＆ＡＷＢ検出部１３７によって被写界輝度が検出され、その検出結果に基づいてモータドライバ１２４により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１２７からのタイミング信号に応じて所定の間隔ごとにＣＤＳＡＭＰ１２９へ出力させ、後段でスルー画像を得ている。撮影者はこのスルー画像を見ながらフレーミングを行ない、シャッタチャンスにレリーズ操作を行なう。
【００４６】
レリーズ操作が行なわれると、ＭＰＵ１２８は、ＣＣＤ１２６にレリーズ操作時の画像を結像させるため、タイミングジェネレータ１２７からタイミング信号を供給させる。このタイミング信号はＣＣＤ１２６に露光開始および露光終了を告げるものでありいわゆるシャッタスピードに相当する。ＭＰＵ１２８はこの露光終了時にＣＣＤ１２６から画像データ（ＲＧＢの光の３原色Ｒ，Ｇ、Ｂからなる画像データ）を出力させ、後段のＣＤＳＡＭＰ１２９に供給させる。さらに、ＣＤＳＡＭＰ１２９でそのＣＣＤ１２６から出力された画像データの雑音が低減され、その雑音が低減された画像データがＡ／Ｄ変換部１３０でデジタル信号に変換される。このＡ／Ｄ変換部１３０でデジタル信号に変換されたＲＧＢからなる画像データは、後段の画像入力コントローラ１３１によりデータバスを介してＳＤＲＡＭ１３８に供給され、このＳＤＲＡＭ１３８にＣＣＤ１２６のすべての画素の画像データが記憶される。すべての画素データに対応する画像データがＳＤＲＡＭ１３８に記憶されると、ＭＰＵ１２８が画像信号処理部１３２の画像処理プロセスを起動させ、その画像処理プロセスによってＳＤＲＡＭ１３８の画像データを読み出させ、ＹＣ信号への変換を行なわせる。さらに、この画像信号処理部１３２の画像処理プロセスが終了したことをＭＰＵ１２８が検知すると、ＭＰＵ１２８は圧縮処理部１３３のＪＰＥＧプロセスを起動させ、ＪＰＥＧプロセスによって画像データの圧縮を行なわせる。この圧縮処理部１３３での圧縮が完了したことをＭＰＵ１２８が検知すると、ＭＰＵ１２８は次に記録処理プロセスを起動させ、ＪＰＥＧ圧縮された画像データを、必要に応じてＧＰＳ位置変換部１３４で変換されたＧＰＳ位置を表わす撮影データとともに、メディアコントローラ１４０を介して記録メディア１４１に記録させる。以上が自動撮影モードのときの撮影データの流れである。
【００４７】
以降、モードダイヤル１０７が手動撮影モードに切り替えられたときの画像データの処理について説明する。
【００４８】
モードダイヤル１０７が手動撮影モード（Ｍ）に切り替えられると、撮影条件が手動により設定されて撮影が行なわれる。このデジタルカメラ１００においては撮影条件の一つであるポイントも自在に設定することができるが、ここでは撮影条件の１つとして露出条件を挙げて以降説明する。
【００４９】
モードダイヤル１０７が手動撮影モード（Ｍ）に切り替えられると、スルー画像とともに露出補正値、シャープネス、フラッシュ光量などの補正を行なうための表示画面が画像表示装置１０６に表示される。この表示画面の中の選択項目、例えば露出値の切り替えを十字キー１０４により行なうことができる。
【００５０】
このように手動撮影モードのときには、撮影者が任意に撮影条件の設定を行なえるようになっており、これらの撮影条件下で撮影が行なわれる。
【００５１】
このような手動撮影モードで撮影が行なわれるときには、その設定された撮影条件によって露光アンダーであろうが、露光オーバーであろうがそのまま撮影が行なわれる。例えば、この露光アンダー、露光オーバーは、ＡＥ＆ＡＷＢ検出部１３７の検出結果に基づきＭＰＵ１２８が判定する。
【００５２】
図３は、図１，図２に示すデジタルカメラの、動作エラーを検出してから電源をオフにするまでの一連の処理ルーチンのフローチャートである。
【００５３】
先ず、ステップＳ１において、カメラ（デジタルカメラ１００）に異常（動作エラー）が発生したか否かが判定される。異常が発生していないと判定された場合は、このフローの処理を終了する。一方、異常が発生したと判定された場合はステップＳ２に進む。ステップＳ２では、表示や警告音等でエラー警告を行なってステップＳ３に進む。
【００５４】
ステップＳ３では、エラー情報を記憶手段（ＥＥＰＲＯＭ）に記憶する。次いで，ステップＳ４において、エラー情報を記憶手段から読み出す。さらに、ステップＳ５において、赤外線送受信部を初期化してステップＳ６に進む。
【００５５】
ステップＳ６では、赤外線送信可能な外部機器があるか否かが判定される。赤外線送信可能な外部機器がないと判定された場合はステップＳ７に進む。ステップＳ７では、赤外線送受信部の機能を無効にしてステップＳ９に進む。一方、赤外線送信可能な外部機器があると判定された場合はステップＳ８に進む。ステップＳ８では、エラー情報を赤外線通信部で送信してステップＳ９に進む。ステップＳ９では、パワーオフ処理を行なって、このフローの処理を終了する。
【００５６】
図４は、図１，図２に示すデジタルカメラにおいて、電源オン操作を受けても、エラーが生じた回路部分への電源をオフ状態に保ちながら外部機器に赤外線送信する処理ルーチンのフローチャートである。
【００５７】
デジタルカメラ１００の電源がオンされると、この処理ルーチンが起動する。先ず、ステップＳ２１において、機器（デジタルカメラ１００）の初期化処理を行なってステップＳ２２に進む。ステップＳ２２では、異常状態を検索してステップＳ２３に進む。
【００５８】
ステップＳ２３では、異常状態があるか否かが判定される。異常状態がないと判定された場合は、後述するステップＳ２５に進む。一方、異常状態があると判定された場合はステップＳ２４に進む。ステップＳ２４では、異常部位を特定し、特定された異常部位に対応するエラー情報を記憶手段（ＥＥＰＲＯＭ）の記憶領域から読み出してステップＳ２５に進む。
【００５９】
ステップＳ２５では、異常部位への電源投入指示があるか否かが判定される。異常部位への電源投入指示があると判定された場合はステップＳ２６に進む。ステップＳ２６では、電源投入指示をスキップしてステップＳ２７に進む。一方、異常部位への電源投入指示がないと判定された場合は、そのままステップＳ２７に進む。ステップＳ２７では、赤外線送受信部を初期化してステップＳ２８に進む。
【００６０】
ステップＳ２８では、赤外線送信可能な外部機器があるか否かが判定される。赤外線送信可能な外部機器がないと判定された場合はステップＳ２９に進む。ステップＳ２９では、赤外線送受信部の機能を無効にしてステップＳ３１に進む。一方、赤外線送信可能な外部機器があると判定された場合はステップＳ３０に進む。ステップＳ３０では、エラー情報を赤外線送受信部で送信してステップＳ３１に進む。ステップＳ３１では、パワーオフ処理を行なって、このフローの処理を終了する。
【００６１】
図５は、本発明の撮影装置の第２実施形態のデジタルカメラの内部構成を示す図である。尚、図５に示すデジタルカメラ２００の外観斜視図は、前述したデジタルカメラ１００の外観斜視図と同じであるため、図示省略する。
【００６２】
図５に示すデジタルカメラ２００の内部構成は、図２に示すデジタルカメラ１００の内部構成と比較し、電源制御部１８０が電源制御部２８０に置き換えられている点が異なっている。
【００６３】
図５に示す電源制御部２８０は、このデジタルカメラ２００の回路を複数の回路部分に分けたときの各回路部分ごとに電源をオンにするものであり、この電源制御部２８０は、電源オン操作を受けて、ＥＥＰＲＯＭ１６０にエラー情報が記憶されている場合には、ＥＥＰＲＯＭ１６０からのエラー情報の読出しおよび赤外線送受信部１７０にのみ電源をオンにするものである。このようにすることにより、電源オン操作を受けた場合であっても、異常動作の悪化や正常部位にまで異常状態が拡大されることなく、外部機器にエラー情報を赤外線で送信することができる。
【００６４】
図６は、図５に示すデジタルカメラにおいて、電源オン操作を受けて、エラー情報の読出しおよび赤外線送受信部のみ電源をオンにして外部機器に赤外線送信する処理ルーチンのフローチャートである。
【００６５】
デジタルカメラ２００の電源がオンされると、この処理ルーチンが起動する。先ず、ステップＳ４１において、機器（デジタルカメラ２００）の初期化処理を行なってステップＳ４２に進む。ステップＳ４２では、異常状態を検索してステップＳ４３に進む。
【００６６】
ステップＳ４３では、異常状態があるか否かが判定される。異常状態がないと判定された場合は、後述するステップＳ４５に進む。一方、異常状態があると判定された場合はステップＳ４４に進む。ステップＳ４４では、赤外線通信部のみ電源を投入してステップS４５に進む。ステップＳ４５では、赤外線送受信部を初期化してステップＳ４６に進む。
【００６７】
ステップＳ４６では、赤外線送信可能な外部機器があるか否かが判定される。赤外線送信可能な外部機器がないと判定された場合はステップＳ４７に進む。ステップＳ４７では、赤外線送受信部の機能を無効にしてステップＳ４９に進む。一方、赤外線送信可能な外部機器があると判定された場合はステップＳ４８に進む。ステップＳ４８では、エラー情報を赤外線通信部で送信してステップＳ４９に進む。ステップＳ４９では、パワーオフ処理を行なって、このフローの処理を終了する。
【００６８】
尚、上述した本実施形態では、本発明にいう無線送信として、赤外線送信を適用した例で説明したが、本発明は、これに限られるものではなく、ブルートゥース規格に準拠した電波送信等の無線送信を適用することもできる。
【００６９】
また、本実施形態では、本発明の撮影装置としてデジタルカメラを例示して説明したが、本発明の撮影装置はこれに限られるものではなく、カメラ機能付の携帯電話やＰＤＡ等であってもよい。
【図面の簡単な説明】
【００７０】
【図１】本発明の撮影装置の第１実施形態であるデジタルカメラの外観図である。
【図２】図１に示すデジタルカメラの内部構成を示す図である。
【図３】図１，図２に示すデジタルカメラの、動作エラーを検出してから電源をオフにするまでの一連の処理ルーチンのフローチャートである。
【図４】図１，図２に示すデジタルカメラにおいて、電源オン操作を受けても、エラーが生じた回路部分への電源をオフ状態に保ちながら外部機器に赤外線送信する処理ルーチンのフローチャートである。
【図５】本発明の撮影装置の第２実施形態のデジタルカメラの内部構成を示す図である。
【図６】図５に示すデジタルカメラにおいて、電源オン操作を受けて、エラー情報の読出しおよび赤外線送受信部のみ電源をオンにして外部機器に赤外線送信する処理ルーチンのフローチャートである。
【符号の説明】
【００７１】
１００，２００  デジタルカメラ
１０１  ズームレンズ
１０２  パワースイッチ
１０３  撮影モード・再生モード切替レバー
１０３ａ，１０３ｂ，１０７１，１０７２，１０７３，１０７４，１０７５  スイッチ
１０４  十字キー
１０４ａ  ＵＰキー
１０４ｂ  ＤＯＷＮキー
１０４ｃ  右キー
１０４ｄ  左キー
１０５ａ  メニュー釦
１０５ｂ  バック釦
１０６  画像表示装置
１０７  モードダイヤル
１０８  レリーズ釦
１０９  閃光発光部
１０９ａ  ポップアップスイッチ
１１１  映像出力端子
１１２  ＵＳＢ接続部
１１３  直流電圧入力端子
１２１  アイリス
１２２  フォーカスレンズ
１２３，１２４，１２５  モータドライバ
１２６  ＣＣＤ
１２７  タイミングジェネレータ
１２８  ＭＰＵ
１２８ａ  ＲＯＭ
１２９  ＣＤＳＡＭＰ
１３０  Ａ／Ｄ変換部
１３１  画像入力コントローラ
１３２  画像信号処理部
１３３  圧縮処理部
１３４  ＧＰＳ位置変換部
１３５  Ｖｉｄｅｏ／ＬＣＤエンコーダ
１３６  ＡＦ検出部
１３７  ＡＥ＆ＡＷＢ検出部
１３８  ＳＤＲＡＭ
１３９  ＶＲＡＭ
１４０  メディアコントローラ
１４１  記録メディア
１４２  ＵＳＢＩ／Ｆ部
１５０  エラー検出部
１６０  ＥＥＰＲＯＭ
１７０  赤外線送受信部
１８０，２８０  電源制御部
１９０  電源部
１９１  バッテリ
１９２  振分部
【図１】
2007028356.tif 000003
【図２】
2007028356.tif 000004
【図３】
2007028356.tif 000005
【図４】
2007028356.tif 000006
【図５】
2007028356.tif 000007
【図６】
2007028356.tif 000008